(57)【要約】  本発明にはズーム方法及びそれを適用した電子機器が開示される。ここで、当該ズーム方法は、第１の撮像ユニットにより第１の画像を取得することと、ズーム命令に従って第１の画像に縮小/拡大を行って、現在のフレーム画像を取得することと、第２の撮像ユニットにより第２の画像を取得することと、第１の撮像ユニットを第２の撮像ユニットに切り替えて、第２の画像を出力することと、を含む。本発明によると、複数の撮像ユニットを有する電子機器のうちのいずれか２つの撮像ユニット間のインテリジェントな切り替えを実現でき、切り替えする際に画面が遷移してしまう技術課題を解決できる。【選択図】図１
2021520151.tif 000002
【特許請求の範囲】
【請求項１】
複数の撮像ユニットを有する電子機器に適用されるズーム方法であって、
第１の撮像ユニットにより第１の画像を取得することと、
ズーム命令に従って第１の画像に縮小/拡大を行って、現在のフレーム画像を取得することと、
第２の撮像ユニットにより第２の画像を取得することと、
第１の撮像ユニットを第２の撮像ユニットに切り替えて、第２の画像を出力することと、を含むことを特徴とする、ズーム方法。
【請求項２】
前記ズーム命令の入力が完了された時刻で、前記現在のフレーム画像を取得することを特徴とする、請求項１に記載のズーム方法。
【請求項３】
前記第１の撮像ユニットと前記第２の撮像ユニットとは、異なる視野を有することを特徴とする、請求項１に記載のズーム方法。
【請求項４】
第１の撮像ユニットを第２の撮像ユニットに切り替えることは、
第１の撮像ユニットと第２の撮像ユニットとの視野の大きさを比較することと、
第１の閾値を設定することと、
前記現在のフレーム画像のズーム倍率と前記第１の閾値とを比較して、比較結果を得ることと、
比較結果に基づいて、前記第１の撮像ユニットを前記第２の撮像ユニットに切り替えることと、を含むことを特徴とする、請求項１に記載のズーム方法。
【請求項５】
前記電子機器が視野の異なる２つの撮像ユニットを有する場合、前記第１の閾値は、前記第１の撮像ユニット及び前記第２の撮像ユニットのうちの視野が小さい方の倍率以上に設定されることを特徴とする、請求項４に記載のズーム方法。
【請求項６】
前記第１の撮像ユニットの視野が前記第２の撮像ユニットの視野よりも大きい場合、前記第１の閾値は、前記第２の撮像ユニットの倍率以上に設定され、前記現在のフレーム画像のズーム倍率と前記第１の閾値とを比較して、前記比較結果が、前記現在のフレーム画像のズーム倍率が前記第１の閾値以上であると示すと、前記第１の撮像ユニットを前記第２の撮像ユニットに切り替え、
前記第１の撮像ユニットの視野が前記第２の撮像ユニットの視野よりも小さい場合、前記第１の閾値は、前記第１の撮像ユニットの倍率以上に設定され、前記現在のフレーム画像のズーム倍率と前記第１の閾値とを比較して、前記比較結果が、前記現在のフレーム画像のズーム倍率が前記第１の撮像ユニットの倍率以上且つ前記第１の閾値未満であると示すと、前記第１の撮像ユニットを前記第２の撮像ユニットに切り替えることを特徴とする、請求項４に記載のズーム方法。
【請求項７】
前記第１の撮像ユニットの視野が前記第２の撮像ユニットの視野よりも大きく、且つ視野が前記第２の撮像ユニットよりも小さい撮像ユニットが存在する場合、視野が前記第２の撮像ユニットよりも小さく且つ前記第２の撮像ユニットとの視野の差異が最も小さい撮像ユニットを第３の撮像ユニットとし、前記第１の閾値を前記第２の撮像ユニットの倍率以上且つ前記第３の撮像ユニットの倍率以下に設定し、前記現在のフレーム画像のズーム倍率が前記第１の閾値以上且つ前記第３の撮像ユニットの倍率未満であれば、前記第１の撮像ユニットを前記第２の撮像ユニットに切り替えることを特徴とする、請求項４に記載のズーム方法。
【請求項８】
前記第１の撮像ユニットの視野が前記第２の撮像ユニットの視野よりも小さく、且つ視野が前記第１の撮像ユニットよりも小さい撮像ユニットが存在する場合、視野が前記第１の撮像ユニットよりも小さく且つ前記第１の撮像ユニットとの視野の差異が最も小さい撮像ユニットを第３の撮像ユニットとし、第１の閾値を前記第１の撮像ユニットの倍率以上且つ前記第３の撮像ユニットの倍率以下に設定し、前記現在のフレーム画像のズーム倍率が前記第１の撮像ユニットの倍率以上且つ前記第１の閾値未満であれば、前記第１の撮像ユニットを第２の撮像ユニットに切り替えることを特徴とする、請求項４に記載のズーム方法。
【請求項９】
前記第１の撮像ユニットの視野が前記第２の撮像ユニットの視野よりも小さく且つ視野が前記第１の撮像ユニットと前記第２の撮像ユニットとの間にある撮像ユニットが存在する場合、視野が前記第２の撮像ユニットよりも小さく且つ前記第２の撮像ユニットとの視野の差異が最も小さい撮像ユニットを第３の撮像ユニットとし、前記第１の閾値を前記第３の撮像ユニットの倍率以上且つ前記第１の撮像ユニットの倍率以下に設定し、前記現在のフレーム画像のズーム倍率が第３の撮像ユニットの倍率以上且つ前記第１の閾値未満であれば、前記第１の撮像ユニットを前記第２の撮像ユニットに切り替えることを特徴とする、請求項４に記載のズーム方法。
【請求項１０】
視野が前記第１の撮像ユニットと前記第２の撮像ユニットとの間にある撮像ユニットが複数存在する場合、視野が前記第２の撮像ユニットよりも小さく且つ前記第２の撮像ユニットとの視野の差異が最も小さい撮像ユニットを第３の撮像ユニットとし、視野が前記第２の撮像ユニットよりも小さく且つ前記第２の撮像ユニットとの視野の差異が前記第３の撮像ユニットと前記第２の撮像ユニットとの視野の差異の次に小さい撮像ユニットを第４の撮像ユニットとし、前記第１の閾値を前記第３の撮像ユニットの倍率以上且つ前記第４の撮像ユニットの倍率以下に設定し、前記現在のフレーム画像のズーム倍率が前記第３の撮像ユニットの倍率以上且つ前記第１の閾値未満であれば、前記第１の撮像ユニットを前記第２の撮像ユニットに切り替えることを特徴とする、請求項４に記載のズーム方法。
【請求項１１】
前記複数の撮像ユニットのうちの少なくとも２つの撮像ユニットは、異なる視野を有し、
前記複数の撮像ユニットのうちの異なる視野を有するいずれか２つの撮像ユニットの切り替えを実現できることを特徴とする、請求項１に記載のズーム方法。
【請求項１２】
調整係数を設定して、前記現在のフレーム画像または前記第２の画像を変形させることをさらに含むことを特徴とする、請求項１に記載のズーム方法。
【請求項１３】
調整係数を設定して、前記現在のフレーム画像または前記第２の画像を変形させることは、
前記現在のフレーム画像を前記第２の画像とマッチングして、両者の変形パラメータを取得することと、
前記現在のフレーム画像のズーム倍率と前記第１の閾値との差分を算出することと、
前記変形パラメータと前記差分に基づいて、調整係数を設定することと、
前記調整係数に基づいて、前記現在のフレーム画像または前記第２の画像を変形させることと、を含むことを特徴とする、請求項１２に記載のズーム方法。
【請求項１４】
前記現在のフレーム画像を前記第２の画像とマッチングして、両者の変形パラメータを取得することは、
前記現在のフレーム画像と前記第２の画像とのそれぞれに、画素点、特徴点、または特徴ブロックを標記することと、
画像レジストレーション方法でマッチングすることと、を含むことを特徴とする、請求項１３に記載のズーム方法。
【請求項１５】
前記調整係数の大きさの設定は、前記変形係数に関するものであり、
前記現在のフレーム画像のズーム倍率と前記第１の閾値との差分が大きいほど、前記調整係数は小さく、
前記現在のフレーム画像のズーム倍率と前記第１の閾値との差分が小さいほど、前記調整係数は大きいことを特徴とする、請求項１３に記載のズーム方法。
【請求項１６】
複数の撮像ユニットを有する電子機器であって、
それぞれ第１の画像と第２の画像を取得するための異なる視野を有する少なくとも２つの撮像ユニットと、
ズーム命令を取得するための入力ユニットと、
前記ズーム命令に従って第１の画像に縮小/拡大を行って、現在のフレーム画像を取得する処理ユニットと、
前記ズーム命令に従って、前記異なる視野を有する少なくとも２つの撮像ユニットのうちの１つの撮像ユニットを他の１つの撮像ユニットに切り替えるための制御ユニットと、
前記第２の画像を出力するための表示ユニットと、を含むことを特徴とする、電子機器。
【請求項１７】
前記処理ユニットは、さらに、
調整係数を設定し、前記現在のフレーム画像または前記第２の画像を変形させることを特徴とする、請求項１６に記載の電子機器。
【請求項１８】
記憶されたプログラムを含む記憶媒体であって、
前記プログラムが実行されると、請求項１乃至１５のうちのいずれか１項に記載のズーム方法を実現するように、前記記憶媒体の所在する機器を制御することを特徴とする、記憶媒体。
【請求項１９】
プロセッサと、
前記プロセッサが実行可能な命令を記憶するためのメモリとを含み、
前記プロセッサは、前記実行可能な命令を実行することで請求項１乃至１５のうちのいずれか１項に記載のズーム方法を実現するように構成されたことを特徴する、電子機器。
【発明の詳細な説明】
【技術分野】
【０００１】
本発明は、撮像技術に関し、特に、ズーム方法及びそれを適用した電子機器に関する。
【背景技術】
【０００２】
最近、電子技術の発展に伴って、特に、例えばテレビ（ＴＶ）、携帯電話、デスクトップコンピューター、ノートパソコン、タブレットＰＣ、携帯情報端末（ＰＤＡ）等の撮像装置を備えた各種の電子製品はいずれも各生活分野に汎用されている。同時に、ユーザのこれらの撮像装置に対するニーズもますます高まっており、ユーザのニーズを満たすように製品製造者は次々と新機能を開発している。
【０００３】
２０００年に世界第１モデルのカメラ機能付き携帯電話が現れてから、撮像はすでに携帯電話に不可欠な機能になっており、今のクライアントが特に重要視する１つの機能である。現在すでに市場に出されたデュアルカメラスマートフォンまたはタブレットＰＣは通常、それぞれ機器の正面と背面、またはいずれも機器の背面に装着された２つのカメラを有する。常用のデュアルカメラとは機器に１つの広角レンズと１つの望遠レンズとを備えることであり、ユーザの選択に応じて、それぞれ近景と遠景の鮮明な画像を現すことができる。
【０００４】
携帯型電子機器（例えばスマートフォンまたはタブレットＰＣ）のサイズや重量の制限を受けて、一層良好な撮像効果を得るため、複数のカメラに基づくインテリジェント電子機器が発展傾向になる。しかし、それに応じて、如何に複数のカメラの抱き合わせ、組み合わせ及び切り替え等の方式によってインテリジェントズームを実現するか等の問題が現われ、複数のカメラに基づくインテリジェント電子機器が注目する１つの焦点になった。
【発明の概要】
【発明が解決しようとする課題】
【０００５】
本発明の実施例は、少なくとも、切り替えする際に画面が遷移してしまう課題を解決できるズーム方法及びそれを適用した電子機器を提供する。
【課題を解決するための手段】
【０００６】
本発明の実施例の一態様によると、複数の撮像ユニットを有する電子機器に適用されるズーム方法であって、第１の撮像ユニットにより第１の画像を取得することと、ズーム命令に従って第１の画像に縮小/拡大を行って、現在のフレーム画像を取得することと、第２の撮像ユニットにより第２の画像を取得することと、第１の撮像ユニットを第２の撮像ユニットに切り替えて、第２の画像を出力することと、を含むズーム方法を提供する。
【０００７】
さらに、前記ズーム命令の入力が完了された時刻で前記現在のフレーム画像を取得する。
【０００８】
さらに、前記第１の撮像ユニットと前記第２の撮像ユニットとは、異なる視野を有する。
【０００９】
さらに、第１の撮像ユニットを第２の撮像ユニットに切り替えることは、第１の撮像ユニットと第２の撮像ユニットとの視野の大きさを比較することと、第１の閾値を設定することと、前記現在のフレーム画像のズーム倍率と前記第１の閾値とを比較して、比較結果を得ることと、比較結果に基づいて、前記第１の撮像ユニットを前記第２の撮像ユニットに切り替えることと、を含む。
【００１０】
さらに、前記電子機器が視野の異なる２つの撮像ユニットを有する場合、前記第１の閾値は、前記第１の撮像ユニット及び前記第２の撮像ユニットのうちの視野が小さい方の倍率以上に設定される。
【００１１】
さらに、前記第１の撮像ユニットの視野が前記第２の撮像ユニットの視野よりも大きい場合、前記第１の閾値は、前記第２の撮像ユニットの倍率以上に設定され、前記現在のフレーム画像のズーム倍率と前記第１の閾値とを比較して、前記比較結果が、前記現在のフレーム画像のズーム倍率が前記第１の閾値以上であると示すと、前記第１の撮像ユニットを前記第２の撮像ユニットに切り替え、
前記第１の撮像ユニットの視野が前記第２の撮像ユニットの視野よりも小さい場合、前記第１の閾値は前記第１の撮像ユニットの倍率以上に設定され、前記現在のフレーム画像のズーム倍率と前記第１の閾値とを比較して、前記比較結果が、前記現在のフレーム画像のズーム倍率が前記第１の撮像ユニットの倍率以上且つ前記第１の閾値未満であると示すと、前記第１の撮像ユニットを前記第２の撮像ユニットに切り替える。
【００１２】
さらに、前記第１の撮像ユニットの視野が前記第２の撮像ユニットの視野よりも大きく、且つ視野が前記第２の撮像ユニットよりも小さい撮像ユニットが存在する場合、視野が前記第２の撮像ユニットよりも小さく且つ前記第２の撮像ユニットとの視野の差異が最も小さい撮像ユニットを第３の撮像ユニットとし、前記第１の閾値を前記第２の撮像ユニットの倍率以上且つ前記第３の撮像ユニットの倍率以下に設定し、前記現在のフレーム画像のズーム倍率が前記第１の閾値以上且つ前記第３の撮像ユニットの倍率未満であれば、前記第１の撮像ユニットを前記第２の撮像ユニットに切り替える。
【００１３】
さらに、前記第１の撮像ユニットの視野が前記第２の撮像ユニットの視野よりも小さく、且つ視野が前記第１の撮像ユニットよりも小さい撮像ユニットが存在する場合、視野が前記第１の撮像ユニットよりも小さく且つ前記第１の撮像ユニットとの視野の差異が最も小さい撮像ユニットを第３の撮像ユニットとし、第１の閾値を前記第１の撮像ユニットの倍率以上且つ前記第３の撮像ユニットの倍率以下に設定し、前記現在のフレーム画像のズーム倍率が前記第１の撮像ユニットの倍率以上且つ前記第１の閾値未満であれば、前記第１の撮像ユニットを第２の撮像ユニットに切り替える。
【００１４】
さらに、前記第１の撮像ユニットの視野が前記第２の撮像ユニットの視野よりも小さく且つ視野が前記第１の撮像ユニットと前記第２の撮像ユニットとの間にある撮像ユニットが存在する場合、視野が前記第２の撮像ユニットよりも小さく且つ前記第２の撮像ユニットとの視野の差異が最も小さい撮像ユニットを第３の撮像ユニットとし、前記第１の閾値を前記第３の撮像ユニットの倍率以上且つ前記第１の撮像ユニットの倍率以下に設定し、前記現在のフレーム画像のズーム倍率が第３の撮像ユニットの倍率以上且つ前記第１の閾値未満であれば、前記第１の撮像ユニットを前記第２の撮像ユニットに切り替える。
【００１５】
さらに、視野が前記第１の撮像ユニットと前記第２の撮像ユニットとの間にある撮像ユニットが複数存在する場合、視野が前記第２の撮像ユニットよりも小さく且つ前記第２の撮像ユニットとの視野の差異が最も小さい撮像ユニットを第３の撮像ユニットとし、視野が前記第２の撮像ユニットよりも小さく且つ前記第２の撮像ユニットとの視野の差異が前記第３の撮像ユニットと前記第２の撮像ユニットとの視野の差異の次に小さい撮像ユニットを第４の撮像ユニットとし、前記第１の閾値を前記第３の撮像ユニットの倍率以上且つ前記第４の撮像ユニットの倍率以下に設定し、前記現在のフレーム画像のズーム倍率が前記第３の撮像ユニットの倍率以上且つ前記第１の閾値未満であれば、前記第１の撮像ユニットを前記第２の撮像ユニットに切り替える。
【００１６】
さらに、前記複数の撮像ユニットのうちの少なくとも２つの撮像ユニットが異なる視野を有し、前記ズーム方法は、前記複数の撮像ユニットのうちの異なる視野を有するいずれか２つの撮像ユニットの切り替えを実現できる。
【００１７】
さらに、前記ズーム方法は、調整係数を設定して、前記現在のフレーム画像または前記第２の画像を変形させることをさらに含む。
【００１８】
さらに、調整係数を設定して、現在のフレーム画像または第２の画像を変形させることは、現在のフレーム画像を第２の画像とマッチングして、両者の変形パラメータを取得することと、現在のフレーム画像のズーム倍率と第１の閾値との差分を算出することと、変形パラメータと差分に基づいて、調整係数を設定することと、調整係数に基づいて、現在のフレーム画像または第２の画像を変形させることと、を含む。
【００１９】
さらに、現在のフレーム画像を第２の画像とマッチングして、両者の変形パラメータを取得することは、現在のフレーム画像と第２の画像とのそれぞれに、画素点、特徴点、または特徴ブロックを標記することと、画像レジストレーション方法でマッチングすることと、を含む。
【００２０】
さらに、前記調整係数の大きさの設定は前記変形係数に関するもので、現在のフレーム画像のズーム倍率と第１の閾値との差分が大きいほど調整係数は小さく、現在のフレーム画像のズーム倍率と第１の閾値との差分が小さいほど調整係数は大きい。
【００２１】
本発明の実施例の他の態様によると、複数の撮像ユニットを有する電子機器であって、それぞれ第１の画像と第２の画像を取得するための異なる視野を有する少なくとも２つの撮像ユニットと、ズーム命令を取得するための入力ユニットと、前記ズーム命令に従って第１の画像に縮小/拡大を行って現在のフレーム画像を取得する処理ユニットと、前記ズーム命令に従って、前記異なる視野を有する少なくとも２つの撮像ユニットのうちの１つの撮像ユニットを他の１つの撮像ユニットに切り替えるための制御ユニットと、前記第２の画像を出力するための表示ユニットと、を含む電子機器を提供する。
【００２２】
さらに、前記処理ユニットはさらに、調整係数を設定し、前記現在のフレーム画像または前記第２の画像を変形させる。
【００２３】
本発明の実施例の他の態様によると、記憶されたプログラムを含み、前記プログラムが実行されると、上述したいずれか１項に記載のズーム方法を実現するように記憶媒体が所在するた機器を制御する記憶媒体をさらに提供する。
【００２４】
本発明の実施例の他の態様によると、プロセッサと、前記プロセッサが実行可能な命令を記憶するためのメモリとを含み、前記プロセッサが、前記実行可能な命令を実行することで上述したいずれか１項に記載のズーム方法を実現するように構成された電子機器をさらに提供する。
【発明の効果】
【００２５】
本発明の実施例において、第１の撮像ユニットにより第１の画像を取得し、ズーム命令に従って第１の画像に縮小/拡大を行って現在のフレーム画像を取得し、第２の撮像ユニットにより第２の画像を取得し、第１の撮像ユニットを第２の撮像ユニットに切り替えて第２の画像を出力するステップを実行することで、複数の撮像ユニットを有する電子機器のうちのいずれか２つの撮像ユニット間のインテリジェント切り替えを実現でき、そして、調整係数を設定して現在のフレーム画像または第２の画像を変形させることで、現在のフレーム画像と第２の画像との差異を縮め、ひいてはなくすことができ、第１の撮像ユニットを第２の撮像ユニットに切り替える際に、現在のフレーム画像と第２の画像とのスムーズな切り替えを実現でき、切り替える際に画面が遷移してしまう技術課題を解決できる。
【図面の簡単な説明】
【００２６】
ここで説明する図面は本発明を一層理解させるためのもので、本願の一部を構成し、本発明に示す模式的な実施例及びその説明は本発明を解釈するもので、本発明を限定するものではない。
【図１】本発明の実施例に係る実施可能なズーム方法のフローチャートである。
【図２】図２（ａ）及び図２(ｂ)は、それぞれ本発明の実施例に係る視野の異なる２つの撮像ユニットを有する電子機器のズーム方法を示す。
【図３】本発明の実施例の実施可能なズーム方法による画面遷移を示す。
【図４】本発明の実施例に係る他の実施可能なズーム方法のフローチャートである。
【図５】現在のフレーム画像を変形させる画像切り替えフローを示す。
【図６】第２の画像を変形させる画像切り替えフローを示す。
【図７】図７(ａ)乃至７(ｃ)は、それぞれ本発明の実施例に係る異なるカメラ位置を有する電子機器を示す。
【発明を実施するための形態】
【００２７】
以下、当業者が本発明の技術案を一層簡単に理解するように、本発明の実施例の添付図面を参照して、本発明の実施例の技術案を明確且つ完全に説明するが、ここで説明する実施例が本発明の実施例の全部ではなく一部であることは言うまでもない。本発明の実施例に基づいて、当業者が創造性のある行為を必要とせずに得られる他の実施例はすべて本発明の保護範囲に含まれる。
【００２８】
尚、本発明の明細書、特許請求の範囲及び図面に用いられた「第１」、「第2」等の用語は類似する対象を区別するためのもので、特定の順または前後順を限定するものではない。ここで説明する本発明の実施例を図面に示す順、または説明した順と異なる順でも実現できるように、上記のように使用される順は適切な状況において交換可能である。また、「含む」、「有する」及びそれらの全部の変形用語は、非排他的に含むことをカバーするもので、例えば、一連のステップやユニットを含むプロセス、方法、システム、製品や機器が明確に例示されたステップやユニットに限定されず、明確に例示されていないか、またはこれらのプロセス、方法、製品や機器固有の他のステップやユニットも含むことを表す。
【００２９】
本発明の実施例は複数の撮像ユニットを有する電子機器に適用されることができ、電子機器にはスマートフォン、携帯電話、タブレットＰＣ、電子リーダー、デスクトップコンピューター、ステーション、サーバ、携帯情報端末（ＰＤＡ）、携帯型マルチメディアプレーヤー（ＰＭＰ）、医療機器、カメラまたはウェアラブル機器（例えば、腕時計、ブレスレット、メガネ、ヘッドマウント装置等のアタッチメント型機器）、電子服、植込み型肌チップ、車載電子機器等が含まれることができる。
【００３０】
以下、本発明の実施例の実施可能なズーム方法のフローチャートを説明する。尚、添付図面のフローチャートに示されたステップを例えば１セットのコンピュータにより命令を実行可能なコンピュータシステムで実行されることができ、フローチャートにロジック順を示しているが、場合によっては図面に示すステップまたは説明するステップをそれと異なる順で実行することも可能である。
【００３１】
図１を参照すると、本発明の実施例に係る可能なズーム方法のフローチャートである。図１に示すように、当該方法は以下のステップＳ１０、Ｓ１２、Ｓ１４、Ｓ１６を含む。
【００３２】
Ｓ１０において、第１の撮像ユニットにより第１の画像を取得する。
【００３３】
Ｓ１２において、ズーム命令に従って第１の画像に縮小/拡大を行って、現在のフレーム画像を取得する。
【００３４】
Ｓ１４において、第２の撮像ユニットにより第２の画像を取得する。
【００３５】
Ｓ１６において、第１の撮像ユニットを第２の撮像ユニットに切り替えて、第２の画像を出力する。
【００３６】
本発明の実施例において、上記ステップによって、即ち、第１の撮像ユニットにより、第１の画像を取得し、ズーム命令に従って第１の画像に縮小/拡大を行って、現在のフレーム画像を取得し、第２の撮像ユニットにより第２の画像を取得し、第１の撮像ユニットを第２の撮像ユニットに切り替えて、第２の画像を出力することによって、ズーム命令に応じて第１の撮像ユニットを第２の撮像ユニットに切り替えて、画像品質を最適化することを可能にする。
【００３７】
以下、上記の各ステップを詳しく説明する。
【００３８】
ステップＳ１０において、第１の撮像ユニットにより第１の画像を取得する。
【００３９】
また、本発明の実施例において、第１の撮像ユニットは電子機器の1つのレンズまたはカメラであることができ、第１の画像はプレビュー画像であることができる。
【００４０】
ステップＳ１２において、ズーム命令に従って第１の画像に縮小/拡大を行って、現在のフレーム画像を取得する。
【００４１】
また、本発明の実施例において、入力ユニットによってユーザのズーム命令を受信し、第１の画像に縮小/拡大を行うことができる。例えば、入力ユニットが電子機器のスクリーンであることができ、ユーザが指でスクリーン上をスライドしてズーム命令を入力したり、またはスクリーン上のテンキーによってズーム命令を入力する。さらに例えば、入力ユニットが電子機器のキーであることができ、ユーザがキーを押すことでズーム倍率の大きさを調整して、ズーム命令の入力を実現する。
【００４２】
また、本発明の実施例において、ズーム命令の入力が完了されると、例えば、指のスクリーンでのスライド動作が終了されると、現在のフレーム画像を取得することができる。
【００４３】
ステップＳ１４において、第２の撮像ユニットにより第２の画像を取得する。
【００４４】
また、本発明の実施例において、第２の撮像ユニットは電子機器上の他のレンズまたはカメラであることができる。ここで、第１の撮像ユニットと第２の撮像ユニットとは独立して取り付けられることもできるし、1つの撮像ブロックに集積されることもできる。第１の撮像ユニットと第２の撮像ユニットとは異なる視野を有することができ、例えば、第１の撮像ユニットが広角カメラで、第２の撮像ユニットが望遠カメラであることができ、さらに例えば、第１の撮像ユニットが広角カメラで、第２の撮像ユニットが超広角カメラであること等であることができる。
【００４５】
ステップＳ１６において、第１の撮像ユニットを第２の撮像ユニットに切り替えて、第２の画像を出力する。
【００４６】
また、第１の撮像ユニットを第２の撮像ユニットに切り替えることはさらに以下のステップＳ１６１〜Ｓ１６４を含むことができる。
【００４７】
ステップＳ１６１において、第１の撮像ユニットと第２の撮像ユニットとの視野の大きさを比較する。
【００４８】
ステップＳ１６２において、第１の閾値を設定する。
【００４９】
ステップＳ１６３において、現在のフレーム画像のズーム倍率と第１の閾値とを比較し、比較結果を得る。
【００５０】
ステップＳ１６４において、比較結果に基づいて、第１の撮像ユニットを第２の撮像ユニットに切り替える。
【００５１】
また、本発明の実施例において、電子機器が視野の異なる２つの撮像ユニットを有する場合、第１の閾値を第１の撮像ユニットと第２の撮像ユニットのうちの視野の小さい方の倍率以上に設定することができる。
【００５２】
図２(ａ)と図２(ｂ)はそれぞれ本発明の実施例に係る視野の異なる２つの撮像ユニットを有する電子機器のズーム方法を示す。
【００５３】
図２(ａ)を参照すると、第１の撮像ユニットの視野が第２の撮像ユニットを超えると、第１の閾値を第２の撮像ユニットの倍率以上に設定することができる。現在のフレーム画像のズーム倍率と第１の閾値とを比較し、比較結果が現在のフレーム画像のズーム倍率が第１の閾値以上であることを示す場合、第１の撮像ユニットを第２の撮像ユニットに切り替える。
【００５４】
反対に、図２(ｂ)を参照すると、第１の撮像ユニットの視野が第２の撮像ユニット未満であれば、第１の閾値を第１の撮像ユニットの倍率以上に設定することができる。現在のフレーム画像のズーム倍率と第１の閾値とを比較し、比較結果が現在のフレーム画像のズーム倍率が第１の撮像ユニットの倍率以上且つ第１の閾値未満であることを示す場合、第１の撮像ユニットを第２の撮像ユニットに切り替える。
【００５５】
また、電子機器が複数の撮像ユニットを有することもでき、ここで、複数の撮像ユニットは異なる視野を有することができ、単独に電子機器の異なる位置に取り付けられることができ、あるいは、一部または全部が1つの撮像モジュールまたは複数の撮像モジュールに集積されてから埋め込み方式または外部接続方式で電子機器に取り付けられることができる。
【００５６】
また、本発明の実施例において、電子機器が視野の異なる少なくとも３つの撮像ユニットを有する場合、以下のような幾つかの状況がある。
【００５７】
（１）第１の撮像ユニットの視野が第２の撮像ユニットよりも大きいと、第１の閾値を第２の撮像ユニットの倍率以上に設定し、現在のフレームのズーム倍率が第１の閾値以上である場合、第１の撮像ユニットを第２の撮像ユニットに切り替える。
【００５８】
また、第（１）の状況において、第１の撮像ユニットの視野が第２の撮像ユニットを超えており、且つ視野が第２の撮像ユニットよりも小さい撮像ユニットが存在する場合、視野が第２の撮像ユニットよりも小さく且つ第２の撮像ユニットとの視野の差異が最も小さい撮像ユニットを第３の撮像ユニットとし、この時、第１の閾値を第２の撮像ユニットの倍率以上且つ第３の撮像ユニットの倍率以下に設定することができ、現在のフレーム画像のズーム倍率が第１の閾値以上且つ第３の撮像ユニットの倍率未満であれば、第１の撮像ユニットを第２の撮像ユニットに切り替える。
【００５９】
（２）第１の撮像ユニットの視野が第２の撮像ユニットの視野よりも小さい場合、第１の閾値を第１の撮像ユニットの倍率以上に設定し、現在のフレームのズーム倍率が第１の撮像ユニットの倍率以上且つ第１の閾値未満であれば、第１の撮像ユニットを第２の撮像ユニットに切り替える。
【００６０】
また、第（２）の状況において、第１の撮像ユニットの視野が第２の撮像ユニットの視野未満であり、且つ視野が第１の撮像ユニットよりも小さい撮像ユニットが存在する場合、視野が第１の撮像ユニットよりも小さく且つ第１の撮像ユニットとの視野の差異が最も小さい撮像ユニットを第３の撮像ユニットとし、この時、第１の閾値を第１の撮像ユニットの倍率以上且つ第３の撮像ユニットの倍率以下に設定することができ、現在のフレーム画像のズーム倍率が第１の撮像ユニットの倍率以上且つ第１の閾値未満であれば、第１の撮像ユニットを第２の撮像ユニットに切り替える。
【００６１】
（３）第１の撮像ユニットの視野が第２の撮像ユニットの視野よりも小さく、且つ視野が第１の撮像ユニットと第２の撮像ユニットとの間にある撮像ユニットが存在する場合、視野が第２の撮像ユニットよりも小さく且つ第２の撮像ユニットとの視野の差異が最も小さい撮像ユニットを第３の撮像ユニットとし、この時、第１の閾値を第３の撮像ユニットの倍率以上且つ第１の撮像ユニットの倍率以下に設定することができ、現在のフレーム画像のズーム倍率が第３の撮像ユニットの倍率以上且つ第１の閾値未満であれば、第１の撮像ユニットを第２の撮像ユニットに切り替える。
【００６２】
また、第（３）の状況において、視野が第１の撮像ユニットと第２の撮像ユニットとの間にある撮像ユニットが複数存在する場合、視野が第２の撮像ユニットよりも小さく且つ第２の撮像ユニットとの視野の差異が最も小さい撮像ユニットを第３の撮像ユニットとし、視野が第２の撮像ユニットよりも小さく且つ第２の撮像ユニットとの視野の差異が第３の撮像ユニットと第２の撮像ユニットとの視野の差異の次に小さい撮像ユニットを第４の撮像ユニットとし、この時、第１の閾値を第３の撮像ユニットの倍率以上且つ第４の撮像ユニットの倍率以下に設定し、現在のフレーム画像のズーム倍率が第３の撮像ユニットの倍率以上且つ第１の閾値未満であれば、第１の撮像ユニットを第２の撮像ユニットに切り替える。
【００６３】
上記規則に従って、複数の撮像ユニットのうちのいずれか２つの撮像ユニットのインテリジェント切り替えを実現することができる。
【００６４】
例えば、電子機器が１つの望遠カメラと、１つの広角カメラと、１つの超広角カメラとの３つの撮像ユニットを有するとする。望遠カメラの視野が広角カメラよりも小さく、広角カメラの視野が超広角カメラよりも小さい。この場合、（１）望遠カメラから広角カメラへの切り替え、（２）望遠カメラから超広角カメラへの切り替え、（３）広角カメラから望遠カメラへの切り替え、（４）広角カメラから超広角カメラへの切り替え、（５）超広角カメラから望遠カメラへの切り替え、（６）超広角カメラから広角カメラへの切り替えのような６種類の切り替え方式がある。
【００６５】
以下、如何に上記規則に従って閾値を設定してこの６種類の切り替えを実現するかを詳しく説明する。
【００６６】
第１の切り替え方式は、即ち（１）望遠カメラから広角カメラへの切り替えである。望遠カメラを第１の撮像ユニットとし、広角カメラを第２の撮像ユニットとし、第１の閾値を望遠カメラの倍率以上に設定することができ、現在のフレーム画像のズーム倍率が望遠カメラの倍率以上且つ第１の閾値未満であれば、望遠カメラを広角カメラに切り替える。
【００６７】
第２の切り替え方式は、即ち（２）望遠カメラから超広角カメラへの切り替えである。望遠カメラを第１の撮像ユニットとし、超広角カメラを第２の撮像ユニットとし、視野の大きさが望遠カメラと超広角カメラとの間にある広角カメラがあると、視野が超広角カメラよりも小さく且つ超広角カメラとの視野の差異が最も小さい広角カメラを第３の撮像ユニットとし、この時、第１の閾値を広角カメラの倍率以上且つ望遠カメラの倍率以下に設定することができ、現在のフレーム画像のズーム倍率が広角カメラの倍率以上且つ第１の閾値未満であれば、望遠カメラを超広角カメラに切り替える。
【００６８】
第３の切り替え方式は、（３）広角カメラから望遠カメラへの切り替えである。広角カメラを第１の撮像ユニットとし、望遠カメラを第２の撮像ユニットとし、第１の閾値を望遠カメラの倍率以上に設定することができ、現在のフレーム画像のズーム倍率が第１の閾値以上であれば、広角カメラを望遠カメラに切り替える。
【００６９】
第４の切り替え方式は、即ち（４）広角カメラから超広角カメラへの切り替えである。広角カメラを第１の撮像ユニットとし、超広角カメラを第２の撮像ユニットとし、視野が広角カメラよりも小さい望遠カメラが存在すると、視野が広角カメラよりも小さく且つ広角カメラとの視野の差異が最も小さい望遠カメラを第３の撮像ユニットとし、この時、第１の閾値を広角カメラの倍率以上且つ望遠カメラの倍率以下に設定することができ、現在のフレーム画像のズーム倍率が広角カメラの倍率以上且つ第１の閾値未満であれば、広角カメラを超広角カメラに切り替える。
【００７０】
第５の切り替え方式は、即ち（５）超広角カメラから望遠カメラへの切り替えである。超広角カメラを第１の撮像ユニットとし、望遠カメラを第２の撮像ユニットとし、第１の閾値を望遠カメラの倍率以上に設定することができ、現在のフレーム画像のズーム倍率が第１の閾値以上であれば、超広角カメラを望遠カメラに切り替える。
【００７１】
第６の切り替え方式は、即ち（６）超広角カメラから広角カメラへの切り替えである。超広角カメラを第１の撮像ユニットとし、広角カメラを第２の撮像ユニットとし、視野が広角カメラよりも小さい望遠カメラが存在すると、視野が広角カメラよりも小さく且つ広角カメラとの視野の差異が最も小さい望遠カメラを第３の撮像ユニットとし、第１の閾値を広角カメラの倍率以上且つ望遠カメラの倍率以下に設定することができ、現在のフレーム画像のズーム倍率が第１の閾値以上且つ望遠カメラの倍率未満であれば、超広角カメラを広角カメラに切り替える。
【００７２】
このように、第１の閾値を適切に設定することで、現在のフレームでのズーム倍率と第１の閾値との比較結果に基づいて、３つの撮像ユニットのうちのいずれか２つの間でインテリジェントに切り替えを行って一層良好な撮像効果を得ることができる。なお、ここで示す第１の閾値は撮像ユニットの倍率に基づいて設定されるが、第１の閾値を撮像ユニットの他のパラメータ（例えば視野）に基づいて設定することも可能であることを当業者は理解できる。
【００７３】
上記３つの撮像ユニットの例示は本発明を解釈するためのものに過ぎず、上記説明に基づいて、当業者は、複数の撮像ユニットを有する電子機器に拡張して、ユーザが入力したズーム倍率に基づいて、複数の撮像ユニットのうちのいずれか２つの間でインテリジェントに切り替えを実現して一層良好な撮像効果を得ることができることは言うまでもない。
【００７４】
しかし、上記ズーム方法によると、カメラの切り替えを行う際、画面が突然に遷移する問題が存在する。
【００７５】
図３を参照すると、本発明の実施例の実施可能なズーム方法による画面の遷移を示す。図３に示すように、画像Ａは第１の撮像ユニットが取得した現在のフレーム画像であり、画像Ｂは第１の撮像ユニットを第２の撮像ユニットに切り替えた後、第２の撮像ユニットが取得した第２の画像である。図３から分かるように、撮像ユニットを切り替える時、画像Ａと画像Ｂの中心点が一致せず、画面が突然に遷移する問題が発生する可能性がある。
【００７６】
そこで、本発明においてスムーズな切り替えを実現するズーム方法を提供し、第１の撮像ユニットが取得した現在のフレーム画像Ａまたは第２の撮像ユニットが取得した第２の画像Ｂを調整することで、撮像ユニットを切り替える際、画面が突然に遷移する問題を解決する。
【００７７】
図４を参照すると、本発明の実施例に係る他の実施可能なズーム方法のフローチャートである。図４に示すように、当該方法は以下のステップＳ４０、Ｓ４２、Ｓ４４、Ｓ４６、Ｓ４８を含むことができる。
【００７８】
Ｓ４０において、第１の撮像ユニットにより第１の画像を取得する。
【００７９】
Ｓ４２において、ズーム命令に従って第１の画像に縮小/拡大を行って、現在のフレーム画像を取得する。
【００８０】
Ｓ４４において、第２の撮像ユニットにより第２の画像を取得する。
【００８１】
Ｓ４６において、調整係数を設定して、現在のフレーム画像または第２の画像を変形させる。
【００８２】
Ｓ４８において、第１の撮像ユニットを第２の撮像ユニットに切り替えて、第２の画像を出力する。
【００８３】
本発明の実施例において、上記ステップによって、即ち、第１の撮像ユニットにより第１の画像を取得し、ズーム命令に従って第１の画像に縮小/拡大を行って、現在のフレーム画像を取得し、第２の撮像ユニットにより第２の画像を取得し、調整係数を設定して、現在のフレーム画像または第２の画像を変形させ、第１の撮像ユニットを第２の撮像ユニットに切り替えて、第２の画像を出力する。ズーム命令に応じて第１の撮像ユニットを第２の撮像ユニットに切り替えできるとともに、調整係数を設定して、現在のフレーム画像または第２の画像を変形させることで、現在のフレーム画像と第２の画像との差異を縮め、ひいてはなくして、第１の撮像ユニットを第２の撮像ユニットに切り替える際、現在のフレーム画像と第２の画像とのスムーズな切り替えを実現して、画面遷移の問題を解決できる。
【００８４】
尚、第１の画像または第２の画像を取得した後、第１の画像または第２の画像の自動露出（ＡＥ）情報、オートホワイトバランス（ＡＷＢ）情報、オートフォーカス（ＡＦ）情報等を調節することで第１の画像または第２の画像の色、輝度等を校正することをさらに含むことができる。
【００８５】
上記ステップＳ４０、Ｓ４２、Ｓ４４、Ｓ４８は、それぞれ上記ステップＳ１０、Ｓ１２、Ｓ１４、Ｓ１６と同じであるので、説明を簡略化するために、ここでは説明を省略する。
【００８６】
以下、ステップＳ４６を具体的に説明する。
【００８７】
本発明の実施例において、ステップＳ４６は以下のステップＳ４６１〜Ｓ４６４を含むことができる。
【００８８】
Ｓ４６１において、現在のフレーム画像を第２の画像とマッチングして、両者の変形パラメータを取得する。
【００８９】
本発明の実施例において、第１の撮像ユニットが取得した現在のフレーム画像と第２の撮像ユニットが取得した第２の画像とをマッチングすることは、現在のフレーム画像と第２の画像とのそれぞれに、画素点、特徴点、または特徴ブロック等を標記し、その後、スパースオプティカルフロー、密なオプティカルフロー、ブロックマッチング等の画像レジストレーション方法によってマッチングする。
【００９０】
本発明の実施例において、取得する変形パラメータは、画素点、特徴点または特徴ブロック同士のオフセット量、輝度差分、色差分等であることができる。
【００９１】
当業者は、さらに、創造性のある行為を必要とせずに他の方法で現在のフレーム画像を第２の画像とマッチングして両者の変形パラメータを取得することができる。
【００９２】
Ｓ４６２において、現在のフレーム画像のズーム倍率と第１の閾値との差分を算出する。
【００９３】
尚、第１の閾値を撮像ユニットの異なるパラメータに基づいて設定した場合、上記算出にある程度の差異が存在し、例えば、第１の閾値は撮像ユニットの視野に基づいて設定された場合、現在のフレーム画像の視野と第１の閾値との差分を算出する。
【００９４】
Ｓ４６３において、変形パラメータと差分に基づいて、調整係数を設定する。
【００９５】
ここで、現在のフレーム画像のズーム倍率と第１の閾値との差分が大きいほど、調整係数は小さく、反対に、現在のフレーム画像のズーム倍率と第１の閾値との差分が小さいほど調整係数は大きい。
【００９６】
Ｓ４６４において、調整係数に基づいて、現在のフレーム画像または第２の画像を変形させる。
【００９７】
尚、本ステップの目的は、現在のフレーム画像と第２の画像との差異を縮め、ひいてはなくすことで、第１の撮像ユニットを第２の撮像ユニットに切り替える際、現在のフレーム画像と第２の画像とのスムーズな切り替えを実現して、画面遷移の問題を解決することにあるので、変形後の現在のフレーム画像が第２の画像に合わせられるように現在のフレーム画像の変形を選択することができ、現在のフレーム画像が変形後の第２の画像に合わせられるように第２の画像の変形を選択することもできる。図５と図６はそれぞれ現在のフレーム画像と第２の画像を変形させる画像の切り替えフローを示す。図５において、画像Ａは第１の撮像ユニットが取得した現在のフレーム画像を示し、画像Ａ’は変形後の現在のフレーム画像を示し、画像Ｂは第２の撮像ユニットが取得した第２の画像を示す。図６において、画像Ａは第１の撮像ユニットが取得した現在のフレーム画像を示し、画像Ｂは第２の撮像ユニットが取得した第２の画像を示し、画像Ｂ’は変形後の第２の画像を示す。図５と図６から分かるように、現在のフレーム画像を変形させるかそれとも第２の画像を変形させるかにかかわらず、最後はいずれも２つの画像を完璧に合わせて、画像のスムーズな切り替えを実現できる。
【００９８】
本発明の実施例を複数の撮像ユニットを有する電子機器に適用することができる。図７(ａ)乃至図７(ｃ)を参照すると、それぞれ本発明の実施例に係る異なるカメラ位置を有する電子機器を示す。図示から分かるように、複数の撮像ユニットは単独に電子機器の異なる位置に取り付けられることができる。ここで、複数の撮像ユニットは異なる視野を有する少なくとも２つの撮像ユニットを含む。
【００９９】
なお、図７(ａ)乃至図７(ｃ)は３つの撮像ユニットを有する電子機器の例示である。電子機器において複数の撮像ユニットの数と位置を需要に応じて調節可能であることは当業者が理解できることであり、図７(ａ)乃至図７(ｃ)に示す例に限定されない。例えば、複数の撮像ユニットの数は３つ以上であることができ、一部または全部が異なる視野を有することができ、それぞれ単独に電子機器の異なる位置に取り付けられるか、または一部または全部を１つの撮像モジュールまたは複数の撮像モジュールに集積して埋め込み方式または外部接続方式で電子機器に取り付けることができる。
【０１００】
本発明の実施例に係る他の態様によると、プロセッサと、プロセッサが実行可能な命令を記憶するためのメモリと、を含み、プロセッサは実行可能な命令を実行することで上述したいずれか１項のズーム方法を実現するように構成される電子機器をさらに提供する。
【０１０１】
本発明の実施例に係る他の態様よると、記憶されたプログラムを含み、プログラムが実行されると、上述したいずれか１項のズーム方法を実現するように記憶媒体が所在する機器を制御する記憶媒体をさらに提供する。
【０１０２】
本発明の実施例において、プロセッサと、メモリと、メモリに記憶されてプロセッサで実行可能なプログラムと、を含む機器であって、プロセッサによりプログラムを実行する際、第１の撮像ユニットにより第１の画像を取得することと、ズーム命令に従って第１の画像に縮小/拡大を行って、現在のフレーム画像を取得することと、第２の撮像ユニットにより第２の画像を取得することと、第１の撮像ユニットを第２の撮像ユニットに切り替えて、第２の画像を出力することと、を実現する機器を提供する。
【０１０３】
また、上記プロセッサがプログラムを実行する際、前記ズーム命令の入力を完了された時刻に前記現在のフレーム画像を取得することができる。
【０１０４】
また、前記第１の撮像ユニットと前記第２の撮像ユニットが異なる視野を有することができる。
【０１０５】
また、第１の撮像ユニットを第２の撮像ユニットに切り替えることは、第１の撮像ユニットと第２の撮像ユニットとの視野の大きさを比較することと、第１の閾値を設定することと、前記現在のフレーム画像のズーム倍率と前記第１の閾値とを比較して、比較結果を得ることと、比較結果に基づいて、前記第１の撮像ユニットを前記第２の撮像ユニットに切り替えることと、を含むことができる。
【０１０６】
また、前記電子機器が視野の異なる２つの撮像ユニットを有する場合、前記第１の閾値を前記第１の撮像ユニットと前記第２の撮像ユニットのうちの視野の小さい方の倍率以上に設定することができる。
【０１０７】
また、前記第１の撮像ユニットの視野が前記第２の撮像ユニットの視野よりも大きい場合、前記第１の閾値を前記第２の撮像ユニットの倍率以上に設定し、前記現在のフレーム画像のズーム倍率を前記第１の閾値と比較し、前記比較結果が、前記現在のフレーム画像のズーム倍率が前記第１の閾値以上であると示すと、前記第１の撮像ユニットを前記第２の撮像ユニットに切り替え、
前記第１の撮像ユニットの視野が前記第２の撮像ユニットの視野よりも小さい場合、前記第１の閾値を前記第１の撮像ユニットの倍率以上に設定し、前記現在のフレーム画像のズーム倍率を前記第１の閾値と比較し、前記比較結果が、前記現在のフレーム画像のズーム倍率が前記第１の撮像ユニットの倍率以上且つ前記第１の閾値以下であると示すと、前記第１の撮像ユニットを前記第２の撮像ユニットに切り替えることができる。
【０１０８】
また、前記第１の撮像ユニットの視野が前記第２の撮像ユニットの視野よりも大きく、且つ視野が前記第２の撮像ユニットよりも小さい撮像ユニットが存在する場合、視野が前記第２の撮像ユニットよりも小さく且つ前記第２の撮像ユニットとの視野の差異が最も小さい撮像ユニットを第３の撮像ユニットとし、前記第１の閾値を前記第２の撮像ユニットの倍率以上且つ前記第３の撮像ユニットの倍率以下に設定し、前記現在のフレーム画像のズーム倍率が前記第１の閾値以上且つ前記第３の撮像ユニットの倍率以下であれば、前記第１の撮像ユニットを前記第２の撮像ユニットに切り替えることができる。
【０１０９】
また、前記第１の撮像ユニットの視野が前記第２の撮像ユニットの視野よりも小さく、且つ視野が前記第１の撮像ユニットよりも小さい撮像ユニットが存在する場合、視野が前記第１の撮像ユニットよりも小さく且つ前記第１の撮像ユニットとの視野の差異が最も小さい撮像ユニットを第３の撮像ユニットとし、第１の閾値を前記第１の撮像ユニットの倍率以上且つ前記第３の撮像ユニットの倍率以下に設定し、前記現在のフレーム画像のズーム倍率が前記第１の撮像ユニットの倍率以上且つ前記第１の閾値以下であれば、前記第１の撮像ユニットを第２の撮像ユニットに切り替えることができる。
【０１１０】
また、前記第１の撮像ユニットの視野が前記第２の撮像ユニットの視野よりも小さく、且つ視野が前記第１の撮像ユニットと前記第２の撮像ユニットとの間にある撮像ユニットが存在する場合、視野が前記第２の撮像ユニットよりも小さく且つ前記第２の撮像ユニットとの視野の差異が最も小さい撮像ユニットを第３の撮像ユニットとし、前記第１の閾値を前記第３の撮像ユニットの倍率以上且つ前記第１の撮像ユニットの倍率以下に設定し、前記現在のフレーム画像のズーム倍率が第３の撮像ユニットの倍率以上且つ前記第１の閾値以下であれば、前記第１の撮像ユニットを前記第２の撮像ユニットに切り替えることができる。
【０１１１】
また、視野が前記第１の撮像ユニットと前記第２の撮像ユニットとの間にある撮像ユニットが複数存在する場合、視野が前記第２の撮像ユニットよりも小さく且つ前記第２の撮像ユニットとの視野の差異が最も小さい撮像ユニットを第３の撮像ユニットとし、視野が前記第２の撮像ユニットよりも小さく且つ前記第２の撮像ユニットとの視野の差異が前記第３の撮像ユニットと前記第２の撮像ユニットとの視野の差異の次に小さい撮像ユニットを第４の撮像ユニットとし、前記第１の閾値を前記第３の撮像ユニットの倍率以上且つ前記第４の撮像ユニットの倍率以下に設定し、前記現在のフレーム画像のズーム倍率が前記第３の撮像ユニットの倍率以上且つ前記第１の閾値以下であれば、前記第１の撮像ユニットを前記第２の撮像ユニットに切り替えることができる。
【０１１２】
また、前記複数の撮像ユニットのうちの少なくとも２つの撮像ユニットが異なる視野を有し、前記ズーム方法によって前記複数の撮像ユニットのうちの異なる視野を有するいずれか２つの撮像ユニットの切り替えを実現することができる。
【０１１３】
また、前記ズーム方法は、調整係数を設定して、前記現在のフレーム画像または前記第２の画像を変形させることをさらに含むことができる。
【０１１４】
また、調整係数を設定して、現在のフレーム画像または第２の画像を変形させることは、現在のフレーム画像を第２の画像とマッチングして、両者の変形パラメータを取得することと、現在のフレーム画像のズーム倍率と第１の閾値との差分を算出することと、変形パラメータと差分に基づいて、調整係数を設定することと、調整係数に基づいて、現在のフレーム画像または第２の画像を変形させることと、を含むことができる。
【０１１５】
また、現在のフレーム画像を第２の画像とマッチングして、両者の変形パラメータを取得することは、現在のフレーム画像と第２の画像とのそれぞれに、画素点、特徴点、または特徴ブロックを標記することと、画像レジストレーション方法でマッチングすることと、を含むことができ、ここで、画像レジストレーション方法としてはスパースオプティカルフロー、密なオプティカルフロー、ブロックマッチングのうちの少なくとも１つを含む。
【０１１６】
また、前記調整係数の大きさの設定は前記変形係数に関するものであり、現在のフレーム画像のズーム倍率と第１の閾値との差分が大きいほど、調整係数は小さく、現在のフレーム画像のズーム倍率と第１の閾値との差分が小さいほど、調整係数は大きい。
【０１１７】
本願によると、さらに、データ処理機器で実行されるときに、第１の撮像ユニットにより第１の画像を取得するステップと、ズーム命令に従って第１の画像に縮小/拡大を行って、現在のフレーム画像を取得するステップと、第２の撮像ユニットにより第２の画像を取得するステップと、第１の撮像ユニットを第２の撮像ユニットに切り替えて、第２の画像を出力するステップとが初期化されたプログラムの実行に適用されるコンピュータプログラム製品を提供する。
【０１１８】
上記した本発明の実施例の番号は説明のために付加されたものであって、実施例の優劣を表すものではない。
【０１１９】
本発明の上記実施例において、各実施例の説明は重要視するものがあって、ある実施例で詳しく説明されていない部分については他の実施例の関連部分の説明を参照することができる。
【０１２０】
本願で提供するいくつかの実施例において、開示した技術内容を他の方式で実現できることは理解できることである。ここで、以上で説明した装置実施例は模式的なものにすぎず、例えば、上記ユニットの区画はロジック機能の区画であることができるが、実際に実現する時は他の区画方式であることもでき、例えば、複数のユニットや部品を組合わせるか、または他の１つのシステムに集積することもでき、または一部の特徴を省略したり実行しないこともできる。そして、示したり検討したりするお互いの組合せ、直接組合せや、通信接続は、インターフェース、ユニットや手段を介した間接的な組合せや通信接続であることができ、電気的または他の形態のものであることもできる。
【０１２１】
上記した分離部品として説明されたユニットは物理的に分離されたものであってもなくてもよく、ユニットとして表す部品は物理ユニットであってもなくてもよく、つまり、１箇所に位置することができれば、複数のユニットに分布されることもできる。実際の需要に応じて、そのうちの一部または全部のユニットを選択して本実施例の技術案を実現する目的を実現することができる
また、本発明の各実施例における各機能ユニットを１つの処理ユニットに集積することができ、各ユニットが物理的に独立されたものであることもでき、２つまたはそれ以上のユニットを１つのユニットに集積することもできる。上記集積されたユニットをハードウェアの形態で実現でき、ソフトウェア機能ユニットの形態で実現することもできる。
【０１２２】
上記集積されたユニットをソフトウェア機能ユニットの形態で実現して独立製品として販売したり使用する場合、上記コンピューター読取可能な記憶媒体に記憶することができる。これに基づいて、本発明の技術案の実質または既存技術に対する貢献のある部分または当該技術案の全部または一部をソフトウェア製品の形態で実現することができ、このようなコンピューターソフトウェア製品は記憶媒体に記憶され、コンピューター機器（パーソナルコンピュータ、サーバ、またはネットワーク機器等）に本発明の各実施例で説明された方法の全部または一部のステップを実行させる複数の命令を含むことができる。上記した記憶媒体は、ＵＳＢ、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、モバイルハードディスク、ディスクまたはＣＤ等のプログラムコードを記憶できる各種の媒体を含む。
【０１２３】
以上は、本発明の好適な実施形態に過ぎず、当業者であれば、本発明の発明原理を離脱せずに若干の改善や修正を行うことができ、このような改善や修正は本発明の保護範囲に含まれる。
【図１】
2021520151.tif 000003
【図２】
2021520151.tif 000004
【図３】
2021520151.tif 000005
【図４】
2021520151.tif 000006
【図５】
2021520151.tif 000007
【図６】
2021520151.tif 000008
【図７】
2021520151.tif 000009
【国際調査報告】
2021520151.tif 000010
2021520151.tif 000011
2021520151.tif 000012
2021520151.tif 000013